Podtech/llm-jp-corpus-v4-ja_patent huggingface dataset:
【手続補正書】
【提出日】平成30年10月30日(2018.10.30)
【手続補正１】
【補正対象書類名】特許請求の範囲
【補正対象項目名】全文
【補正方法】変更
【補正の内容】
【特許請求の範囲】
【請求項１】
ラウドネスベースでオーディオ信号を補償するシステムであって、
（ａ）入力オーディオ信号を受け取る入力ラインと、
（ｂ）前記入力オーディオ信号に対するオーディオプレイバックラウドネスレベル及びプロダクションラウドネスレベルを提供するラウドネス推定器と、
（ｃ）前記ラウドネス推定器の出力に結合されるフィルタ生成／選択器であって、前記プロダクションラウドネスレベル及び前記オーディオプレイバックラウドネスレベルに基づいてオーディオ補償フィルタを提供する前記フィルタ生成／選択器と、を備え、
前記入力オーディオ信号は出力信号を提供するために前記オーディオ補償フィルタにより処理され、
前記ラウドネス推定器が、前記入力オーディオ信号に対する新たなオーディオプレイバックラウドネスレベル又は新たなプロダクションラウドネスレベルのうちの少なくとも1つを提供するとき、前記フィルタ生成／選択器は、前記出力信号を提供するために前記入力オーディオ信号を処理するために使用される新たなオーディオ補償フィルタを提供し、
前記オーディオプレイバックラウドネスレベルは時間とともに自動的に再推定されることを特徴とするシステム。
【請求項２】
前記出力信号はスピーカかヘッドホンの少なくとも一つを含むオーディオ出力デバイスに結合されていることを特徴とする請求項１に記載のシステム。
【請求項３】
前記プロダクションラウドネスレベルはユーザにより提供される設定に基づいて定められることを特徴とする請求項１又は２に記載のシステム。
【請求項４】
前記ユーザにより提供される設定はその他入力に基づいて確立されたデフォルト値からの選択された偏差であることを特徴とする請求項３に記載のシステム。
【請求項５】
連続する前記再推定はスムージング処理を受けることを特徴とする請求項１乃至４のいずれか１項に記載のシステム。
【請求項６】
前記スムージング処理は移動平均フィルタを含むことを特徴とする請求項５に記載のシステム。
【請求項７】
前記スムージング処理は低域通過フィルタを含むことを特徴とする請求項５に記載のシステム。
【請求項８】
ラウドネスベースでオーディオ信号を補償するシステムであって、
（ａ）入力オーディオ信号を受け取る入力ラインと、
（ｂ）前記入力オーディオ信号に対するオーディオプレイバックラウドネスレベル及びプロダクションラウドネスレベルを提供するラウドネス推定器と、
（ｃ）前記ラウドネス推定器の出力に結合されるフィルタ生成／選択器であって、前記プロダクションラウドネスレベル及び前記オーディオプレイバックラウドネスレベルに基づいてオーディオ補償フィルタを提供する前記フィルタ生成／選択器と、
（ｄ）前記入力オーディオ信号を時間ドメインから周波数ドメインへ変換するための変換モジュールと、を含み、
前記オーディオ補償フィルタは前記周波数ドメインにおいて前記入力オーディオ信号を処理し、
前記入力オーディオ信号は出力信号を提供するために前記オーディオ補償フィルタにより処理され、
前記ラウドネス推定器が、前記入力オーディオ信号に対する新たなオーディオプレイバックラウドネスレベル又は新たなプロダクションラウドネスレベルのうちの少なくとも1つを提供するとき、前記フィルタ生成／選択器は、前記出力信号を提供するために、前記入力オーディオ信号を処理するために使用される新たなオーディオ補償フィルタを提供することを特徴とするシステム。
【請求項９】
前記システムはさらに、発生する可能性がある時間ドメインエイリアシングを抑制するために、前記フィルタ生成／選択器によって提供される周波数応答を処理するアンチエイリアシングフィルタを含むことを特徴とする請求項８に記載のシステム。
【請求項１０】
前記アンチエイリアシングフィルタは前記周波数応答に対応するインパルス応答の長さを制限することを特徴とする請求項９に記載のシステム。
【請求項１１】
前記アンチエイリアシングフィルタは前記周波数応答を時間ドメインの信号に逆変換し、前記時間ドメインの信号に窓掛けし、前記窓掛けされた時間ドメインの信号を前記周波数ドメインへ戻す変換をすることを特徴とする請求項１０に記載のシステム。
【請求項１２】
前記アンチエイリアシングフィルタは前記窓掛けされた時間ドメインの信号を、前記周波数ドメインへ戻す変換をする前にシフトすることを特徴とする請求項１１に記載のシステム。
【請求項１３】
前記変換モジュールは短時間フーリエ変換（ＳＴＦＴ）を実行することを特徴とする請求項８乃至１１のいずれか１項に記載のシステム。
【請求項１４】
前記フィルタ生成／選択器は、前記オーディオプレイバックラウドネスレベルと前記プロダクションラウドネスレベルのそれぞれについて等ラウドネス曲線に基づいてリアルタイムで最初に補償周波数曲線を生成することにより、前記オーディオ補償フィルタを生成することを特徴とする請求項１乃至１３のいずれか１項に記載のシステム。
【請求項１５】
前記オーディオプレイバックラウドネスレベルと前記プロダクションラウドネスレベルのそれぞれについての前記等ラウドネス曲線は、ＩＳＯ  ２２６：２００３の等ラウドネス曲線に基づいていることを特徴とする請求項１４に記載のシステム。
【請求項１６】
前記補償周波数曲線は、前記オーディオプレイバックラウドネスレベル及び前記プロダクションラウドネスレベルについての等ラウドネス曲線にだけ基づく曲線と比較して低音ブーストの制限を含むことを特徴とする請求項１４又は１５に記載のシステム。
【請求項１７】
前記オーディオプレイバックラウドネスレベルは５００Ｈｚ以下の幅を持つ周波数帯域に基づいて決定されることを特徴とする請求項１乃至１６のいずれか１項に記載のシステム。
【請求項１８】
前記オーディオプレイバックラウドネスレベルは４０００Ｈｚ−６０００Ｈｚの幅を持つ周波数帯域に基づいて決定されることを特徴とする請求項１乃至１６のいずれか１項に記載のシステム。
【請求項１９】
前記プロダクションラウドネスレベルはあらかじめ決められたデフォルト値に設定されることを特徴とする請求項１乃至１８のいずれか１項に記載のシステム。
【請求項２０】
前記プレイバックラウドネスレベルは音量コントロールの設定に基づいて設定されることを特徴とする請求項１乃至１９のいずれか１項に記載のシステム。
【請求項２１】
前記プレイバックラウドネスレベルは、オーディオ出力デバイスの感度又は増幅器利得のうちの少なくとも1つに基づいて設定されることを特徴とする請求項１乃至２０のいずれか１項に記載のシステム。
【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
光電変換部と、
前記光電変換部から転送される信号電荷を蓄積する電荷蓄積部と、
前記電荷蓄積部の信号電荷が転送されるフローティングディフュージョンと、
少なくとも前記電荷蓄積部の一部を覆い、前記光電変換部上が開口された遮光部と、
前記光電変換部上に配された光導波路と、を含む画素が複数配された画素領域を有し、前記画素領域上に多層配線構造が配された撮像装置であって、
前記光導波路の下部に配された絶縁膜を備え、
前記絶縁膜は、
前記多層配線構造の層間絶縁膜のうち前記電荷保持部上に配された部分よりも大きい屈折率を有し、前記多層配線構造の配線層のうち最下層の配線層より前記光電変換部に近い位置で前記光導波路の下部から前記遮光部の上部まで延在していることを特徴とする撮像装置。
【請求項２】
前記絶縁膜は前記電荷蓄積部の全体を覆っていることを特徴とする請求項１に記載の撮像装置。
【請求項３】
前記光導波路上部の入射面の面積は出射面の面積よりも大きいことを特徴とする請求項１又は２に記載の撮像装置。
【請求項４】
前記光電変換部の上に反射防止膜が配され、前記反射防止膜は開口部を備え、前記反射防止膜の開口部の上に前記絶縁膜が配されていることを特徴とする請求項１〜３のいずれか１項に記載の撮像装置。
【請求項５】
前記光電変換部から前記電荷蓄積部へ電荷を転送するための第１ゲート電極と、
前記電荷蓄積部から前記フローティングディフュージョンへ電荷を転送するための第２ゲート電極と、を有することを特徴とする請求項１〜４のいずれか１項に記載の撮像装置。
【請求項６】
前記絶縁膜の端部は、前記遮光部の上に位置していることを特徴とする請求項１〜５のいずれか１項に記載の撮像装置。
【請求項７】
前記遮光部の前記開口に、前記絶縁膜の少なくとも一部が位置していることを特徴とする請求項１〜６のいずれか１項に記載の撮像装置。
【請求項８】
前記絶縁膜の面積は前記光電変換部の面積よりも大きいことを特徴とする請求項１〜７のいずれか１項に記載の撮像装置。
【請求項９】
前記撮像装置は、オーバーフロードレイン部と、前記光電変換部と前記オーバーフロードレイン部との間の導通を制御する第３ゲート電極と、を有し、
前記絶縁膜は、前記第３ゲート電極の上まで延在していることを特徴とする請求項１〜８のいずれか１項に記載の撮像装置。
【請求項１０】
前記遮光部の前記開口の面積は、前記光導波路の射出面の面積よりも大きいことを特徴とする請求項１〜９のいずれか１項に記載の撮像装置。
【請求項１１】
前記絶縁膜はシリコン窒化膜を含むことを特徴とする請求項１〜１０のいずれか１項に記載の撮像装置。
【請求項１２】
前記遮光部と前記絶縁膜との間に、別の絶縁膜が設けられていることを特徴とする請求項１〜１１のいずれか１項に記載の撮像装置。
【請求項１３】
光電変換部と、
前記光電変換部から転送される信号電荷を蓄積する電荷蓄積部と、
前記電荷蓄積部の信号電荷が転送されるフローティングディフュージョンと、
少なくとも前記電荷蓄積部の一部を覆い前記光電変換部上が開口された遮光部と、
前記光電変換部上に配された導波路と、を含む画素が複数配された画素領域を有する撮像装置の製造方法であって、
前記電荷蓄積部と前記光電変換部とが配された半導体基板を準備する工程と、
前記遮光部を形成する工程と、
前記遮光部及び前記光電変換部を覆うように層間絶縁膜を形成する工程と、
前記層間絶縁膜に、少なくとも一部が前記光電変換部に重なる開口を、エッチングにより形成する工程と、
前記開口に前記光導波路を形成する工程と、を有し、
前記エッチングの際のエッチングストップ膜を、平面視で、前記光電変換部の少なくとも一部の上から、前記遮光部の少なくとも一部の上まで連続して配されるように形成することを特徴とする撮像装置の製造方法。
【請求項１４】
前記画素領域上に多層配線構造を形成する工程をさらに有し、
前記半導体基板と前記多層配線構造の前記配線層に含まれる配線とを接続するコンタクトプラグが存在する領域で前記エッチングストップ膜を除去することを特徴とする請求項１３に記載の撮像装置の製造方法。
【請求項１５】
前記遮光部と前記エッチングストップ膜との間に、絶縁膜を形成する工程を有することを特徴とする請求項１３又は１４に記載の撮像装置の製造方法。
【請求項１６】
当該絶縁膜の少なくとも一部を除去する工程とを有し、
前記絶縁膜が除去された領域に前記エッチングストップ膜を残すことを特徴とする請求項１５に記載の撮像装置の製造方法。
【請求項１７】
前記エッチングストップ膜はシリコン窒化膜を含むことを特徴とする請求項１３〜１６のいずれか１項に記載の撮像装置の製造方法。
【請求項１８】
前記遮光部を形成する工程の前に、と前記層間絶縁膜を形成する工程との間に、前記エッチングストップ膜を形成する工程を有し、
前記エッチングストップ膜を形成する工程と前記遮光部を形成する工程との間に、絶縁膜を形成する工程を有することを特徴とする請求項１〜１７のいずれか１項に記載の撮像装置の製造方法。
【手続補正書】
【提出日】平成30年4月17日(2018.4.17)
【手続補正１】
【補正対象書類名】特許請求の範囲
【補正対象項目名】全文
【補正方法】変更
【補正の内容】
【特許請求の範囲】
【請求項１】
直流電源部から出力される直流電力の脈流を平滑する平滑部と、
前記平滑部による平滑後の直流電力を交流電力に変換するインバータ部と、
を備え、
前記インバータ部は、スイッチング動作可能な二つの半導体素子が直列に接続されてなる第１モジュール及び第２モジュールをそれぞれ含む一つ以上のブリッジ回路を有し、
前記平滑部は、前記ブリッジ回路の前記第１モジュールがそれぞれ接続される一つ以上の接続部を有する第１の一対のブスバーと、前記ブリッジ回路の前記第２モジュールがそれぞれ接続される一つ以上の接続部を有する第２の一対のブスバーと、前記第１の一対のブスバー及び前記第２の一対のブスバーの前記接続部毎に少なくとも一つ設けられる複数の平滑用コンデンサと、を含み、
前記第１の一対のブスバー及び前記第２の一対のブスバーは、通電方向に沿う外表面に少なくとも一つの平面を含み、該平面のうち面内における前記通電方向と直交する方向の寸法が相対的に大きい平面を互いに対向させて且つ絶縁材を間に挟んで積層されている誘導加熱用電源装置。
【請求項２】
請求項１記載の誘導加熱用電源装置であって、
前記平滑用コンデンサは、前記平滑用コンデンサの一面に並設された一対の端子を有し、
一対の前記端子は、一対の前記ブスバー及び前記絶縁材を積層方向に貫通して一対の前記ブスバーに接続されている誘導加熱用電源装置。
【請求項３】
請求項１又は２記載の誘導加熱用電源装置であって、
前記接続部は、一対の導電材と、絶縁材とを含み、
一対の前記導電材は、通電方向に沿う外表面に少なくとも一つの平面を含み、該平面のうち面内における前記通電方向と直交する方向の寸法が相対的に大きい平面を互いに対向させて且つ前記絶縁材を間に挟んで積層されている誘導加熱用電源装置。
【手続補正２】
【補正対象書類名】明細書
【補正対象項目名】０００９
【補正方法】変更
【補正の内容】
【０００９】
本発明の一態様の誘導加熱用電源装置は、直流電源部から出力される直流電力の脈流を平滑する平滑部と、前記平滑部による平滑後の直流電力を交流電力に変換するインバータ部と、を備え、前記インバータ部は、スイッチング動作可能な二つの半導体素子が直列に接続されてなる第１モジュール及び第２モジュールをそれぞれ含む一つ以上のブリッジ回路を有し、前記平滑部は、前記ブリッジ回路の前記第１モジュールがそれぞれ接続される一つ以上の接続部を有する第１の一対のブスバーと、前記ブリッジ回路の前記第２モジュールがそれぞれ接続される一つ以上の接続部を有する第２の一対のブスバーと、前記第１の一対のブスバー及び前記第２の一対のブスバーの前記接続部毎に少なくとも一つ設けられる複数の平滑用コンデンサと、を含み、前記第１の一対のブスバー及び前記第２の一対のブスバーは、通電方向に沿う外表面に少なくとも一つの平面を含み、該平面のうち面内における前記通電方向と直交する方向の寸法が相対的に大きい平面を互いに対向させて且つ絶縁材を間に挟んで積層されている。
【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
直流の１次側から直流の２次側に電力を供給する電力供給ラインと、
前記電力供給ラインの電力の供給をオンオフするスイッチ回路と、
前記スイッチ回路のオンオフをする電源スイッチと、
前記スイッチ回路のオンオフを制御する制御回路と、
前記スイッチ回路をオフにするラッチ回路と、
前記ラッチ回路による前記スイッチ回路のオフを解除するラッチオフ回路と、
前記２次側のエラーを検出するエラー検出回路と、を有する電源制御装置を備え、
前記ラッチ回路は、
前記電源スイッチがオンし前記スイッチ回路をオンした後、前記電力供給ラインにより電力の供給を受けて前記制御回路が前記スイッチ回路をオンすると、前記電源スイッチの状態に係らず前記スイッチ回路はオンとされ、前記電源スイッチがオフであり、前記エラー検出回路がエラーを検出した場合、前記スイッチ回路をオフにして前記電力供給ラインによる電力の供給を停止させることにより、前記制御回路の動作を停止させ、
前記ラッチオフ回路は、
前記制御回路の動作の停止に伴い、前記ラッチ回路による前記スイッチ回路のオフを解除する、
ことを特徴とするプリンター。
【請求項２】
前記電源スイッチと前記制御回路とは、ワイヤードＯＲ回路に接続し、
前記ワイヤードＯＲ回路は、少なくとも前記電源スイッチ及び前記制御回路のいずれかが、前記スイッチ回路をオンにするオン信号を出力した場合、前記スイッチ回路にオン信号を出力し、
前記スイッチ回路は、出力される前記オン信号に基づいて、前記電力供給ラインの電力の供給をオンにする、
請求項１に記載のプリンター。
【請求項３】
前記制御回路は、前記２次側から電力の供給を受けて動作し、
前記制御回路は、前記２次側からの電力の供給の停止に伴い動作を停止し、
前記ラッチオフ回路は、前記制御回路の動作の停止に伴い、前記ラッチ回路による前記スイッチ回路のオフを解除する、
請求項１に又は２に記載のプリンター。
【請求項４】
前記ラッチ回路は、前記１次側から電力の供給を受けて動作し、
前記ラッチ回路は、前記ラッチオフ回路から前記スイッチ回路のオフを解除する信号が出力された場合、前記電力供給ラインの電力の供給の状態に係らず、前記スイッチ回路のオフを解除する動作を継続する、
請求項１から３のいずれか一項に記載のプリンター。
【請求項５】
前記１次側に接続されたＡＣアダプターから電力供給され、前記電力供給ラインにより前記２次側に配置された印刷部に電力供給をする、
請求項１から４のいずれか一項に記載のプリンター。
【請求項６】
直流の１次側から直流の２次側に電力を供給する電力供給ラインと、前記電力供給ラインの電力の供給をオンオフするスイッチ回路と、前記スイッチ回路のオンオフをする電源スイッチと、前記スイッチ回路のオンオフを制御する制御回路と、前記スイッチ回路をオフにするラッチ回路と、前記ラッチ回路による前記スイッチ回路のオフを解除するラッチオフ回路と、前記２次側のエラーを検出するエラー検出回路と、を有する電源制御装置を備えるプリンターの制御方法であって、
前記ラッチ回路は、
前記電源スイッチがオンし前記スイッチ回路をオンした後、前記電力供給ラインから電力の供給を受けて前記制御回路が前記スイッチ回路をオンすると、前記電源スイッチの状態に係らず前記スイッチ回路はオンとされ、前記電源スイッチがオフであり、前記エラー検出回路がエラーを検出した場合、前記スイッチ回路をオフにして前記電力供給ラインによる電力の供給を停止させることにより、前記制御回路の動作を停止させ、
前記ラッチオフ回路は、
前記制御回路の動作の停止に伴い、前記ラッチ回路による前記スイッチ回路のオフを解除する、
ことを特徴とするプリンターの制御方法。
【手続補正２】
【補正対象書類名】明細書
【補正対象項目名】発明の名称
【補正方法】変更
【補正の内容】
【発明の名称】プリンター、及び、プリンターの制御方法
【手続補正３】
【補正対象書類名】明細書
【補正対象項目名】０００１
【補正方法】変更
【補正の内容】
【０００１】
本発明は、プリンター、及び、プリンターの制御方法に関する。
【手続補正書】
【提出日】平成30年9月7日(2018.9.7)
【手続補正１】
【補正対象書類名】特許請求の範囲
【補正対象項目名】全文
【補正方法】変更
【補正の内容】
【特許請求の範囲】
【請求項１】
細長に形成される本体と、
前記本体の正面側に配置され、光を照射する発光部と、
前記本体の正面及び前記発光部の正面側を覆うカバーと、
前記カバーの裏側で前記発光部に対向配置され、虫を捕捉する捕虫シートと、
を備え、
前記本体に複数の貫通孔が形成され、前記発光部により照射された光が前記貫通孔から虫を誘引する誘引光として外部に漏出する捕虫器。
【請求項２】
細長に形成される本体と、
前記本体の正面側に配置され、光を照射する発光部と、
前記発光部よりも正面側に配置され、前記本体の正面及び側面の少なくとも一部を覆うカバーと、
前記カバーの裏側で前記発光部に対向配置され、虫を捕捉する捕虫シートと、
前記本体の側面と前記カバーの端部の間に形成される誘引口と、
を備え、
前記発光部により照射された光が前記捕虫シート及び前記カバーの裏側で反射され、前記誘引口から虫を誘引する誘引光として外部に漏出する捕虫器。
【請求項３】
前記カバーは、前記本体の長手方向で見たときに、円弧状に湾曲する板状部材によって形成される請求項２に記載の捕虫器。
【請求項４】
前記捕虫シートは、前記カバーに取り付けられた状態で、虫を捕捉する粘着領域が前記本体の正面側の幅方向の厚みよりも内側に収まるように形成される請求項１から３の何れかに記載の捕虫器。
【請求項５】
前記カバーの裏側に配置され、前記捕虫シートを前記カバーの長手方向の一側から挿入可能な１対のガイドレールを更に備え、
前記捕虫シートは、虫を捕捉する粘着領域及び該粘着領域の外側に形成される非粘着領域を有し、
前記非粘着領域の幅は、前記ガイドレールのガイド部分よりも広くなっている請求項１から４までの何れかに記載の捕虫器。
【請求項６】
前記本体の内側に形成される空間の中央に配置され、直管式の発光部を正面側に収容可能なソケットを更に備え、
前記本体における前記ソケットの両側には、前記本体の側面から背面にかけて複数の貫通孔が形成される請求項１から５までの何れかに記載の捕虫器。
【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
実行中の可変表示に対応する特定表示を表示可能な特定表示手段と、
特定表示の表示態様を第１態様と該第１態様よりも前記有利状態に制御される期待度が低い第２態様とを含む複数の表示態様のうちのいずれかに変化させる変化演出を実行可能な変化演出実行手段と、
可変表示中の第１タイミングと該第１タイミングよりも後の第２タイミングとにおいて、特定表示の表示態様が変化することを示唆する示唆演出を実行可能な示唆演出実行手段とを備え、
前記示唆演出実行手段は、期待度が異なる複数の演出態様の示唆演出を実行可能であり、
前記第２タイミングにおいては、特定表示の表示態様が前記第２態様に変化することを示唆する示唆演出を実行しない
ことを特徴とする遊技機。
【手続補正２】
【補正対象書類名】明細書
【補正対象項目名】００１１
【補正方法】変更
【補正の内容】
【００１１】
(手段Ａ)上記目的を達成するため、本発明の遊技機は、可変表示を行い、遊技者にとって有利な有利状態に制御可能な遊技機であって、実行中の可変表示に対応する特定表示を表示可能な特定表示手段と、特定表示の表示態様を第１態様と該第１態様よりも前記有利状態に制御される期待度が低い第２態様とを含む複数の表示態様のうちのいずれかに変化させる変化演出を実行可能な変化演出実行手段と、可変表示中の第１タイミングと該第１タイミングよりも後の第２タイミングとにおいて、特定表示の表示態様が変化することを示唆する示唆演出を実行可能な示唆演出実行手段とを備え、前記示唆演出実行手段は、期待度が異なる複数の演出態様の示唆演出を実行可能であり、前記第２タイミングにおいては、特定表示の表示態様が前記第２態様に変化することを示唆する示唆演出を実行しないことを特徴とする。
（手段１）本発明による他の遊技機は、可変表示（例えば、第１特別図柄や第２特別図柄、演出図柄の可変表示）を行い、遊技者にとって有利な有利状態（例えば、大当り遊技状態）に制御可能な遊技機であって、実行中の可変表示に対応する特定表示（例えば、アクティブ表示）を表示可能な特定表示手段（例えば、アクティブ表示部１８ｃ）と、特定表示の表示態様を第１態様（例えば、第２表示態様（緑）や第３表示態様（赤））と該第１態様よりも有利状態に制御される期待度が低い第２態様（例えば、第１表示態様（青））とを含む複数の表示態様のうちのいずれかに変化させる変化演出（例えば、アクティブ表示変化演出）を実行可能な変化演出実行手段（例えば、演出制御用マイクロコンピュータ１００がステップＳ８００６やＳ８１０５を実行する部分）と、可変表示中の第１タイミング（例えば、図３８に示す変動開始後、スーパーリーチ開始前の第１タイミング）と該第１タイミングよりも後の第２タイミング（例えば、図３８に示すスーパーリーチ開始後、変動停止前の第２タイミング）とにおいて、特定表示の表示態様が変化することを示唆する示唆演出を実行可能な示唆演出実行手段（例えば、演出制御用マイクロコンピュータ１００がステップＳ８００６やＳ８１０５を実行する部分）と、第２タイミングにおいて、特定表示の表示態様が第２態様に変化することを示唆する示唆演出を実行することを制限する示唆演出制限手段（例えば、図４０（Ｂ）に示すように、第２タイミングにおいて第１表示態様（青）に変化することを示唆する真示唆演出が実行される変化パターン２−３に決定しないようにするとともに、図４０（Ａ）に示すように、変化パターン２−１では、第２タイミングにおいて第１表示態様（青）に変化することを示唆する偽示唆演出の実行を禁止している）とを備えたことを特徴とする。そのような構成によれば、遊技の興趣が低下してしまうことを防止することができる。
【手続補正書】
【提出日】平成30年4月10日(2018.4.10)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
遊技者の第１動作を促す第１促進報知と遊技者の第２動作を促す第２促進報知とを行う促進報知手段と、
前記第１促進報知および前記第２促進報知の前に、複数態様の促進前報知のうちの一の促進前報知を行う促進前報知手段と、
前記第１動作と前記第２動作とを検出可能な検出手段と、
前記検出手段の検出結果にもとづいて所定演出を実行可能な演出実行手段と、
特定演出を実行する特定演出実行手段と、
を備え、
前記促進前報知の態様と前記第１促進報知および前記第２促進報知の種類によって、前記所定演出として、遊技者にとって有利な内容の演出が報知される割合が異なり、
前記促進前報知および前記促進報知は、前記特定演出中に実行可能である
ことを特徴とする遊技機。
【手続補正２】
【補正対象書類名】明細書
【補正対象項目名】０００６
【補正方法】変更
【補正の内容】
【０００６】
(手段Ａ)上記目的を達成するため、本発明の遊技機は、遊技が可能な遊技機であって、遊技者の第１動作を促す第１促進報知と遊技者の第２動作を促す第２促進報知とを行う促進報知手段と、前記第１促進報知および前記第２促進報知の前に、複数態様の促進前報知のうちの一の促進前報知を行う促進前報知手段と、前記第１動作と前記第２動作とを検出可能な検出手段と、前記検出手段の検出結果にもとづいて所定演出を実行可能な演出実行手段と、特定演出を実行する特定演出実行手段と、を備え、前記促進前報知の態様と前記第１促進報知および前記第２促進報知の種類によって、前記所定演出として、遊技者にとって有利な内容の演出が報知される割合が異なり、前記促進前報知および前記促進報知は、前記特定演出中に実行可能であることを特徴とする遊技機。
（１）上記目的を達成するため、本発明の他の遊技機は、遊技が可能な遊技機（例えば、パチンコ遊技機１など）であって、遊技者の第１動作（例えば、プッシュボタン３１Ｂの操作など）を促す第１促進報知（例えば、図３３（Ｃ）に示すプッシュボタン３１Ｂの操作促進表示など）と遊技者の第２動作（例えば、スティックコントローラ３１Ａの操作など）を促す第２促進報知（例えば、図３３（Ｄ）に示すスティックコントローラ３１Ａの操作促進表示など）とを行う促進報知手段（例えば、演出制御用ＣＰＵ１２０によるステップＳ３５９、Ｓ３７９の処理実行に従って操作促進表示を行う演出表示装置５など）と、
前記第１促進報知および前記第２促進報知の前に、複数態様の促進前報知（例えば、図２７（Ａ）に示す共通エフェクト、２ボタン・エフェクト、４ボタン・エフェクトおよび４Ｖコン・エフェクトといった各種の操作促進前表示など）のうちの一の促進前報知を行う促進前報知手段（例えば、演出制御用ＣＰＵ１２０によるステップＳ３５３、Ｓ３７３の処理実行に従って操作促進前表示を行う演出表示装置５など）と、前記第１動作と前記第２動作とを検出可能な検出手段（例えば、コントローラセンサユニット３５Ａ、プッシュセンサ３５Ｂなど）と、前記検出手段の検出結果にもとづいて所定演出（例えば、カットイン演出Ａ〜Ｃなど）を実行可能な演出実行手段（例えば、演出表示装置５にカットイン演出を表示させるなどのステップＳ３６２、Ｓ３８２の処理を実行する演出制御用ＣＰＵ１２０など）と、を備え、前記促進前報知の態様（例えば、共通エフェクト、２ボタン・エフェクト、４ボタン・エフェクトまたは４Ｖコン・エフェクトの何れの操作促進前表示であるかなど）と前記第１促進報知および前記第２促進報知の種類（例えば、プッシュボタン３１Ｂまたはスティックコントローラ３１Ａの何れの操作促進表示であるかなど）によって、前記所定演出として、遊技者にとって有利な内容の演出（例えば、カットイン演出Ｃなど）が報知される割合が異なる、ことを特徴とする。上記の構成によれば、遊技の興趣性を向上させることができる。
【手続補正書】
【提出日】平成30年4月10日(2018.4.10)
【手続補正１】
【補正対象書類名】特許請求の範囲
【補正対象項目名】全文
【補正方法】変更
【補正の内容】
【特許請求の範囲】
【請求項１】
遊技媒体を発射して遊技領域に打込むことにより、変動表示を用いる遊技が実行可能であり、遊技者にとって有利な有利状態に制御可能な遊技機において、
前記遊技領域は、遊技媒体が流下可能な経路として、遊技媒体の打分けが可能な第１経路と第２経路とを含み、
少なくとも通常状態においては前記第１経路を遊技媒体が流下した方が有利に構成され、
少なくとも前記有利状態と、前記通常状態および前記有利状態とは異なる特定状態において、前記第２経路を遊技媒体が流下した方が前記第１経路を遊技媒体が流下したときよりも遊技者にとって有利な状態に制御する状態制御手段と、
前記第２経路への遊技媒体の打込みを促進させることが可能な促進報知を行なう促進報知手段とを備え、
前記促進報知手段は、前記有利状態において前記促進報知を行なうとともに、当該有利状態の終了後に実行される変動表示が前記特定状態に制御可能な表示結果となる変動表示であるときには当該有利状態が終了したときから前記促進報知を行ない、
前記促進報知手段が前記促進報知を行なうことに関連して、当該促進報知を実行していることを特定可能な特定信号を作成する特定信号作成手段をさらに備える遊技機。
【手続補正２】
【補正対象書類名】明細書
【補正対象項目名】０００７
【補正方法】変更
【補正の内容】
【０００７】
(手段Ａ)上記目的を達成するため、本発明の遊技機は、遊技媒体を発射して遊技領域に打込むことにより、変動表示を用いる遊技が実行可能であり、遊技者にとって有利な有利状態に制御可能な遊技機において、前記遊技領域は、遊技媒体が流下可能な経路として、遊技媒体の打分けが可能な第１経路と第２経路とを含み、少なくとも通常状態においては前記第１経路を遊技媒体が流下した方が有利に構成され、少なくとも前記有利状態と、前記通常状態および前記有利状態とは異なる特定状態において、前記第２経路を遊技媒体が流下した方が前記第１経路を遊技媒体が流下したときよりも遊技者にとって有利な状態に制御する状態制御手段と、前記第２経路への遊技媒体の打込みを促進させることが可能な促進報知を行なう促進報知手段とを備え、前記促進報知手段は、前記有利状態において前記促進報知を行なうとともに、当該有利状態の終了後に実行される変動表示が前記特定状態に制御可能な表示結果となる変動表示であるときには当該有利状態が終了したときから前記促進報知を行ない、前記促進報知手段が前記促進報知を行なうことに関連して、当該促進報知を実行していることを特定可能な特定信号を作成する特定信号作成手段をさらに備える遊技機。
（１）遊技媒体（遊技球等）を発射して遊技領域（遊技領域７等）に打込むことにより、変動表示（第１特別図柄および第２特別図柄の変動表示、演出図柄の変動表示等）を用いる遊技が実行可能であり、遊技者にとって有利な有利状態（大当り遊技状態等）に制御可能な遊技機（パチンコ遊技機１等）において、前記遊技領域は、遊技媒体が流下可能な経路として、遊技媒体の打分けが可能な第１経路（第１経路、左経路等）と第２経路（第２経路、右経路等）とを含み、少なくとも通常状態（低ベース状態）においては前記第１経路を遊技媒体が流下した方が有利に構成され（低ベース状態では、第１始動入賞口１３が第１経路から入賞可能に設けられているので、第１経路を遊技球が流下した方が、第２経路を遊技球が流下するよりも、始動入賞の点で遊技者にとって有利である等）、少なくとも前記有利状態と、前記通常状態および前記有利状態とは異なる特定状態（小当り遊技状態等）において、前記第２経路を遊技媒体が流下した方が前記第１経路を遊技媒体が流下したときよりも遊技者にとって有利な状態に制御する（特別可変入賞球装置２０を開状態にする、Ｖ判定入賞装置８７を開状態にする等）状態制御手段（遊技制御用マイクロコンピュータ５６０、図９のＳ３０５〜Ｓ３０７、Ｓ３０８〜Ｓ３１０等）と、前記第２経路への遊技媒体の打込みを促進させることが可能な促進報知（右打ち促進報知）を行なう促進報知手段（演出制御用マイクロコンピュータ１００、図１８のＳ５００、図２０のＳ５０６，Ｓ５１０、Ｓ５２２，Ｓ５３２等）とを備え、前記促進報知手段は、前記有利状態において前記促進報知を行なう（図２０のＳ５１０、図１９（Ｂ））とともに、当該有利状態の終了後に実行される変動表示が前記特定状態に制御可能な表示結果となる変動表示であるときには当該有利状態の終了後の状態が前記通常状態であったとしても、変動開始時においても前記促進報知を行ない（図２０のＳ５２２、図１９（Ｂ））、前記促進報知手段が前記促進報知を行なうことに関連して、当該促進報知を実行していることを特定可能な特定信号を作成する特定信号作成手段をさらに備え、前記促進報知手段は、前記有利状態において前記促進報知を行なうとともに、当該有利状態の終了後に実行される変動表示が前記特定状態に制御可能な表示結果となる変動表示であるときには当該有利状態の終了後の状態が前記通常状態であったとしても、変動開始時においても前記促進報知を行なう。（第６実施形態）。
【手続補正書】
【提出日】平成30年4月10日(2018.4.10)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
初期画像を表示し、当該初期画像を順次更新したあとに特定画像を表示させる更新演出を実行可能な更新演出実行手段と、
前記特定画像が表示されたときに特定演出を実行可能な特定演出実行手段と、
を備え、
前記更新演出は、
第１タイミングにおいて第１初期画像を表示した後に順次更新し第１特定画像を表示させる第１更新演出と、
前記第１タイミングと異なる第２タイミングにおいて第２初期画像を表示した後に順次更新し第２特定画像を表示させる第２更新演出と、
を含み、
前記更新演出実行手段は、
前記第１更新演出と前記第２更新演出とを同時に実行する場合には、更新を同期させて行う
ことを特徴とする遊技機。
【手続補正２】
【補正対象書類名】明細書
【補正対象項目名】０００４
【補正方法】変更
【補正の内容】
【０００４】
しかしながら、特許文献１にあっては、タイマカウンタを１つのみ表示するものであり、複数のタイマカウンタを同時に表示することについて何ら工夫がされていなく興趣を向上させる余地あった。
【手続補正３】
【補正対象書類名】明細書
【補正対象項目名】０００６
【補正方法】変更
【補正の内容】
【０００６】
(手段Ａ)上記目的を達成するため、本発明の遊技機は、遊技を行うことが可能な遊技機であって、初期画像を表示し、当該初期画像を順次更新したあとに特定画像を表示させる更新演出を実行可能な更新演出実行手段と、前記特定画像が表示されたときに特定演出を実行可能な特定演出実行手段と、を備え、前記更新演出は、第１タイミングにおいて第１初期画像を表示した後に順次更新し第１特定画像を表示させる第１更新演出と、前記第１タイミングと異なる第２タイミングにおいて第２初期画像を表示した後に順次更新し第２特定画像を表示させる第２更新演出と、を含み、前記更新演出実行手段は、前記第１更新演出と前記第２更新演出とを同時に実行する場合には、更新を同期させて行うことを特徴とする遊技機。
（１）前記課題を解決するために、本発明の他の遊技機は、遊技を行うことが可能な遊技機（例えば、パチンコ遊技機１）であって、初期画像（例えば、第１カウンタや第２カウンタの画像）を表示し、当該初期画像を順次更新（例えば、カウント値の更新（カウントダウン））したあとに特定画像（例えば、「００：００」の表示）を表示させる更新演出を実行可能な更新演出実行手段（例えば、演出制御用ＣＰＵ１２０が演出図柄変動開始処理においてカウントダウン予告演出の実行を決定した後、該カウントダウン予告演出の対象である変動表示においてカウンタ更新処理を実行する部分）と、前記特定画像が表示されたときに特定演出（例えば、変動中予告演出（群予告）やチャンスアップ演出）を実行可能な特定演出実行手段（例えば、演出制御用ＣＰＵ１２０が演出図柄変動中処理を実行する部分）と、を備え、前記更新演出は、第１初期画像（例えば、第１カウンタの画像）を順次更新（例えば、カウントダウン）したあとに第１特定画像（例えば、第１カウンタの「００：００」の表示）を表示させる第１更新演出（例えば、リーチ状態が成立する以前に実行される演出を対象とするカウントダウン予告演出）と、第２初期画像（例えば、第２カウンタの画像）を順次更新（例えば、カウントダウン）したあとに第２特定画像（例えば、第２カウンタの「００：００」の表示）を表示させる第２更新演出（例えば、リーチ状態の成立後に実行される演出を対象とするカウントダウン予告演出）と、を含み、前記更新演出実行手段は、前記第１更新演出と前記第２更新演出とを同時に実行する場合には、更新を同期させて行う（例えば、第１カウンタの更新中に第２カウンタを追加表示する場合において実行するカウントダウン処理におけるＳ３１１において、タイマ割り込みによるカウンタの更新対象に第２カウンタを設定する部分）ことを特徴としている。この特徴によれば、第１更新演出と第２更新演出の更新が同期して行われるので、第１更新演出と第２更新演出の更新が非同期にて行われることによる遊技興趣の低下を防ぐことができる。
【手続補正書】
【提出日】平成30年4月10日(2018.4.10)
【手続補正１】
【補正対象書類名】特許請求の範囲
【補正対象項目名】全文
【補正方法】変更
【補正の内容】
【特許請求の範囲】
【請求項１】
遊技媒体を発射して遊技領域に打込むことにより遊技が実行可能な遊技機において、
前記遊技領域は、遊技媒体が流下可能な経路として、遊技媒体の打分けが可能な第１経路と第２経路とを含み、
前記第２経路へ向けて発射した遊技媒体が入賞可能な可変入賞装置と、
遊技機の外部に出力可能な信号として、前記第１経路への遊技媒体の打込みを促進させることを特定可能な第１特定信号、および、前記第２経路への遊技媒体の打込みを促進させることを特定可能な第２特定信号を作成可能な信号作成手段を備え、
前記信号作成手段は、前記第１特定信号および前記第２特定信号を、同一期間中に遊技機の外部に出力可能な信号として作成する、遊技機。
【手続補正２】
【補正対象書類名】明細書
【補正対象項目名】０００７
【補正方法】変更
【補正の内容】
【０００７】
(手段Ａ)上記目的を達成するため、本発明の遊技機は、遊技媒体を発射して遊技領域に打込むことにより遊技が実行可能な遊技機において、前記遊技領域は、遊技媒体が流下可能な経路として、遊技媒体の打分けが可能な第１経路と第２経路とを含み、前記第２経路へ向けて発射した遊技媒体が入賞可能な可変入賞装置と、遊技機の外部に出力可能な信号として、前記第１経路への遊技媒体の打込みを促進させることを特定可能な第１特定信号、および、前記第２経路への遊技媒体の打込みを促進させることを特定可能な第２特定信号を作成可能な信号作成手段を備え、前記信号作成手段は、前記第１特定信号および前記第２特定信号を、同一期間中に遊技機の外部に出力可能な信号として作成する、遊技機。
（１）遊技媒体（遊技球等）を発射して遊技領域（遊技領域７等）に打込むことにより遊技が実行可能な遊技機(パチンコ遊技機１等)において、前記遊技領域は、遊技媒体が流下可能な経路として、遊技媒体の打分けが可能な第１経路（左経路等）と第２経路（右経路等）とを含み、遊技機の外部に出力可能な信号として、前記第１経路への遊技媒体の打込みを促進させることを特定可能な第１特定信号（左打ち信号等）、および、前記第２経路への遊技媒体の打込みを促進させることを特定可能な第２特定信号（右打ち信号等）を作成可能な信号作成手段（図２５の遊技制御用マイクロコンピュータ５６０、試験信号作成部５６０Ａ等）を備え、前記信号作成手段は、前記第１特定信号および前記第２特定信号を、同一期間中に遊技機の外部に出力可能な信号として作成する（「試験信号を出力する他の構成例」における、左打ち信号と右打ち信号との同一期間中の外部出力のための信号作成等）。
【手続補正書】
【提出日】平成30年4月10日(2018.4.10)
【手続補正１】
【補正対象書類名】特許請求の範囲
【補正対象項目名】全文
【補正方法】変更
【補正の内容】
【特許請求の範囲】
【請求項１】
遊技媒体を用いて遊技を行う遊技機であって、
遊技媒体が入賞可能な開状態に変化可能な可変入賞装置と、
遊技者にとって有利な有利状態中に、遊技媒体が所定領域を通過したことにもとづいて、前記有利状態とは異なる有利な価値を付与可能な付与手段と、
前記所定領域に入賞可能な経路に向けて遊技媒体を発射することを指示する指示報知を行う指示報知手段と、
第１条件が成立したときに、第１条件成立報知を行う第１条件成立報知手段と、
前記第１条件とは異なる第２条件が成立したときに、第２条件成立報知を行う第２条件成立報知手段と、
を備え、
前記指示報知手段は、複数の態様のうちのいずれかの態様により指示報知を行うことを特徴とする。
【手続補正２】
【補正対象書類名】明細書
【補正対象項目名】００１１
【補正方法】変更
【補正の内容】
【００１１】
(手段Ａ)上記目的を達成するため、本発明の遊技機は、遊技媒体を用いて遊技を行う遊技機であって、遊技媒体が入賞可能な開状態に変化可能な可変入賞装置と、遊技者にとって有利な有利状態中に、遊技媒体が所定領域を通過したことにもとづいて、前記有利状態とは異なる有利な価値を付与可能な付与手段と、前記所定領域に入賞可能な経路に向けて遊技媒体を発射することを指示する指示報知を行う指示報知手段と、第１条件が成立したときに、第１条件成立報知を行う第１条件成立報知手段と、前記第１条件とは異なる第２条件が成立したときに、第２条件成立報知を行う第２条件成立報知手段と、を備え、前記指示報知手段は、複数の態様のうちのいずれかの態様により指示報知を行うことを特徴とする。
（手段１）本発明による他の遊技機は、遊技媒体（例えば、遊技球）を用いて遊技を行う遊技機であって、遊技者にとって有利な有利状態中（例えば、大当り中など）に、遊技媒体が所定領域を通過したことにもとづいて、前記有利状態とは異なる有利な価値（例えば確変状態、高ベース状態など）を付与可能な付与手段（例えば、遊技制御用マイクロコンピュータ１００がステップＳ３８５を実行する部分）と、所定領域に向けて遊技媒体を発射することを指示する指示報知を行う指示報知手段（例えば、演出制御用ＣＰＵ１２０がステップＳ７４３，Ｓ７６３を実行する部分）とを備え、指示報知手段は、複数の態様（例えば、図５０（Ｄ），（Ｈ）参照）のうちのいずれかの態様により指示報知を行うことを特徴とする。そのような構成によれば、複数の態様のいずれかにより指示報知を行うことができ、指示報知についての興趣を向上させることができる。
【手続補正書】
【提出日】平成30年4月12日(2018.4.12)
【手続補正１】
【補正対象書類名】特許請求の範囲
【補正対象項目名】全文
【補正方法】変更
【補正の内容】
【特許請求の範囲】
【請求項１】
変動表示を行い、予め定められた特定表示結果が導出表示されたときに、遊技者にとって有利な有利状態に制御可能な遊技機であって、
未だ開始されていない変動表示を対象に前記特定表示結果が導出表示されることを示唆する演出として、それぞれ異なる演出態様の複数の変動前演出を実行可能な変動前演出実行手段と、
実行中の変動表示を対象に前記特定表示結果が導出表示されることを示唆する演出として、それぞれ異なる演出態様の複数の変動中演出を実行可能な変動中演出実行手段と、
を備え、
前記変動前演出実行手段は、
対象となる変動表示において前記特定表示結果が導出表示されない場合よりも前記特定表示結果が導出表示される場合に高い割合で選択される第１変動前演出と、該第１変動前演出よりも高い割合で選択される第２変動前演出と、該第２変動前演出よりも高い割合で選択される第３変動前演出と、を実行可能であり、
前記変動中演出実行手段は、
対象となる変動表示において前記特定表示結果が導出表示されない場合よりも前記特定表示結果が導出表示される場合に高い割合で選択される第１変動中演出と、該第１変動中演出よりも高い割合で選択される第２変動中演出と、該第２変動中演出よりも高い割合で選択される第３変動中演出と、を実行可能であり、
一つの変動表示を対象として前記第２変動前演出が実行され、該一つの変動表示に関する前記変動中演出を実行する場合には、前記第２変動中演出と前記第３変動中演出とのうち、少なくともどちらか一方を実行する、
ことを特徴とする遊技機。
【手続補正２】
【補正対象書類名】明細書
【補正対象項目名】０００６
【補正方法】変更
【補正の内容】
【０００６】
(手段Ａ)上記目的を達成するため、本発明の遊技機は、変動表示を行い、予め定められた特定表示結果が導出表示されたときに、遊技者にとって有利な有利状態に制御可能な遊技機であって、未だ開始されていない変動表示を対象に前記特定表示結果が導出表示されることを示唆する演出として、それぞれ異なる演出態様の複数の変動前演出を実行可能な変動前演出実行手段と、実行中の変動表示を対象に前記特定表示結果が導出表示されることを示唆する演出として、それぞれ異なる演出態様の複数の変動中演出を実行可能な変動中演出実行手段と、を備え、前記変動前演出実行手段は、対象となる変動表示において前記特定表示結果が導出表示されない場合よりも前記特定表示結果が導出表示される場合に高い割合で選択される第１変動前演出と、該第１変動前演出よりも高い割合で選択される第２変動前演出と、該第２変動前演出よりも高い割合で選択される第３変動前演出と、を実行可能であり、前記変動中演出実行手段は、対象となる変動表示において前記特定表示結果が導出表示されない場合よりも前記特定表示結果が導出表示される場合に高い割合で選択される第１変動中演出と、該第１変動中演出よりも高い割合で選択される第２変動中演出と、該第２変動中演出よりも高い割合で選択される第３変動中演出と、を実行可能であり、一つの変動表示を対象として前記第２変動前演出が実行され、該一つの変動表示に関する前記変動中演出を実行する場合には、前記第２変動中演出と前記第３変動中演出とのうち、少なくともどちらか一方を実行する、ことを特徴とする遊技機。
（１）上記目的を達成するため、本発明の他の遊技機は前記課題を解決するために、本発明の請求項１に記載の遊技機は、変動表示を行い、予め定められた特定表示結果（例えば、大当り図柄等）が導出表示されたときに、遊技者にとって有利な有利状態（例えば、大当り遊技状態、確変状態、時短状態等）に制御可能な遊技機（例えば、パチンコ遊技機１）であって、未だ開始されていない変動表示を対象に前記特定表示結果が導出表示されることを示唆する演出として、それぞれ異なる演出態様の複数の変動前演出（例えば、保留表示予告演出）を実行可能な変動前演出実行手段（例えば、演出制御用ＣＰＵ１２０が保留表示更新処理（図１３）にて保留表示フラグの値に基づいて保留記憶表示の表示色を決定して保留表示予告演出を実行する部分）と、実行中の変動表示を対象に前記特定表示結果が導出表示されることを示唆する演出として、それぞれ異なる演出態様の複数の変動中演出（例えば、フラッシュ画像を表示する変動中演出）を実行可能な変動中演出実行手段（例えば、演出制御用ＣＰＵ１２０が変動中演出パターン決定処理（図１８）にて変動中演出表示フラグの値に基づいて変動中演出パターンを決定して変動中演出を実行する部分）と、を備え、前記変動前演出実行手段は、対象となる変動表示において前記特定表示結果が導出表示されない場合よりも前記特定表示結果が導出表示される場合に高い割合で選択される第１変動前演出（例えば、青色の保留記憶表示）と、該第１変動前演出よりも高い割合で選択される第２変動前演出（例えば、緑色の保留記憶表示）と、該第２変動前演出よりも高い割合で選択される第３変動前演出（例えば、赤色の保留記憶表示）と、を実行可能であり、前記変動中演出実行手段は、対象となる変動表示において前記特定表示結果が導出表示されない場合よりも前記特定表示結果が導出表示される場合に高い割合で選択される第１変動中演出（例えば、青色のフラッシュ画像が表示される変動中演出）と、該第１変動中演出よりも高い割合で選択される第２変動中演出（例えば、緑色のフラッシュ画像が表示される変動中演出）と、該第２変動中演出よりも高い割合で選択される第３変動中演出（例えば、赤色のフラッシュ画像が表示される変動中演出）と、を実行可能であり、実行中の変動表示を対象として前記第２変動前演出が実行されていて、該変動表示に関する前記変動中演出を実行する場合には、前記第２変動中演出と前記第３変動中演出とのうち、少なくともどちらか一方を実行する（例えば、演出制御用ＣＰＵ１２０が第２変動中演出パターン決定用テーブル（図２０（Ｂ））を用いて変動中演出パターンＤ〜Ｆのいずれかを決定し、保留記憶表示の表示色が緑色である場合に、変動中演出にて最終的に表示されるフラッシュ画像が緑色または赤色であり、当該決定された変動中演出パターンに基づいて変動中演出を実行する部分）、ことを特徴としている。この特徴によれば、変動中演出が実行されたときに、変動中演出以前に実行された変動前演出により高められた遊技者の有利状態に制御されることへの期待感を損なわないようにできる。
【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
所定の始動条件の成立に基づいて図柄を変動表示させる図柄変動遊技を行い、該図柄変動遊技の結果として当り結果が導出された場合に、通常遊技状態よりも遊技者に有利な特定遊技状態に制御可能な遊技機であって、
前記図柄変動遊技中に所定の演出操作を要する操作演出を実行する操作演出実行手段と、
前記図柄変動遊技中に所定の音量調整操作が行われることに基づいて、遊技音の音量を調整する変動中音量調整手段と、を備え、
前記図柄変動遊技が実行される期間のうち、少なくとも前記操作演出にて前記演出操作が受付可能とされる操作受付期間内には、前記変動中音量調整手段による音量の調整を不能にする
ことを特徴とする遊技機。
【手続補正２】
【補正対象書類名】明細書
【補正対象項目名】０００６
【補正方法】変更
【補正の内容】
【０００６】
上記した目的を達成するために、請求項１に係る発明においては、
所定の始動条件の成立に基づいて図柄を変動表示させる図柄変動遊技を行い、該図柄変動遊技の結果として当り結果が導出された場合に、通常遊技状態よりも遊技者に有利な特定遊技状態に制御可能な遊技機であって、
前記図柄変動遊技中に所定の演出操作を要する操作演出を実行する操作演出実行手段と、
前記図柄変動遊技中に所定の音量調整操作が行われることに基づいて、遊技音の音量を調整する変動中音量調整手段と、を備え、
前記図柄変動遊技が実行される期間のうち、少なくとも前記操作演出にて前記演出操作が受付可能とされる操作受付期間内には、前記変動中音量調整手段による音量の調整を不能にする（例えば、図１９７には、タイミングｔ２からタイミングｔ３までの回転操作部３０２に対する演出操作有効期間において、音量変更禁止フラグをオン状態とし、回転操作部３０２を用いての音量調整を行うことができない旨が記載されている。）
ことを特徴とする。
【手続補正３】
【補正対象書類名】明細書
【補正対象項目名】０００７
【補正方法】変更
【補正の内容】
【０００７】
上記構成では、図柄変動遊技が実行される期間のうち、少なくとも操作演出にて演出操作が受付可能とされる操作受付期間内には、変動中音量調整手段による音量の調整を不能にすることを可能とし、遊技興趣の低下を抑止することが可能となる（例えば、段落１２５９〜１３００の記載を参照）。
【手続補正書】
【提出日】平成30年3月15日(2018.3.15)
【手続補正１】
【補正対象書類名】明細書
【補正対象項目名】発明の名称
【補正方法】変更
【補正の内容】
【発明の名称】表示装置、電子機器、半導体装置の作製方法
【手続補正２】
【補正対象書類名】特許請求の範囲
【補正対象項目名】全文
【補正方法】変更
【補正の内容】
【特許請求の範囲】
【請求項１】
第１の絶縁膜と、
前記第１の絶縁膜上の結晶性半導体膜と、
前記結晶性半導体膜上のゲート絶縁膜と、
前記ゲート絶縁膜上のゲート電極と、
前記ゲート電極上の第２の絶縁膜と、
前記結晶性半導体膜に電気的に接続される電極と、を有し、
前記ゲート絶縁膜は、前記結晶性半導体膜の形状に沿って、凸部と凹部とを有し、
前記ゲート電極は、前記結晶性半導体膜の形状に沿って、凸部と凹部とを有することを特徴とする表示装置。
【請求項２】
請求項１に記載の表示装置と、
スピーカー部、音声入力部、バッテリー、または操作キーのいずれか一と、を有することを特徴とする電子機器。
【請求項３】
第１の絶縁膜上に半導体膜を形成し、
前記半導体膜にレーザー光を照射して結晶性半導体膜を形成し、
前記結晶性半導体膜上にゲート絶縁膜を形成し、
前記ゲート絶縁膜上にゲート電極を形成し、
前記ゲート電極上に第２の絶縁膜を形成し、
前記結晶性半導体膜に電気的に接続される電極を形成し、
前記ゲート絶縁膜は、前記結晶性半導体膜の形状に沿って、凸部と凹部とを有し、
前記ゲート電極は、前記結晶性半導体膜の形状に沿って、凸部と凹部とを有することを特徴とする半導体装置の作製方法。